(57)【要約】【課題】  複数のコンテンツ再生装置に同一のコンテンツが記録されている場合に同一のコンテンツが重複して出力されることを防止する。【解決手段】    再生コンテンツリスト生成部は、複数のコンテンツ再生装置から取得したコンテンツリストを統合して再生コンテンツリストを生成する。このとき、複数のコンテンツ再生装置のコンテンツリストに重複している同一コンテンツについては１つのみが再生コンテンツリストに登録され、２つ目以降は再生コンテンツリストに登録されない。すなわち、他のコンテンツ再生装置がクレードルに既に接続されている状態で、コンテンツ再生装置がクレードルに接続されたとき、再生コンテンツリスト生成部が、新たに接続されたコンテンツ再生装置のコンテンツリストにおいて、再生コンテンツリストに未だ登録されていないコンテンツのみを前記再生コンテンツリストに登録する。【選択図】図７
2012198955.tif 000002
【特許請求の範囲】
【請求項１】
複数のコンテンツ再生装置が接続可能であり、
前記複数のコンテンツ再生装置の各々から、前記各コンテンツ再生装置が記録するコンテンツの一覧であるコンテンツリストを取得するコンテンツリスト取得部と、
前記複数のコンテンツ再生装置に記録されている同一コンテンツが重複して登録されないように、前記複数のコンテンツ再生装置のコンテンツリストを統合し、再生コンテンツリストを生成する再生コンテンツリスト生成部と、
前記再生コンテンツリストに登録されているコンテンツを順次選択する選択部と、
選択されたコンテンツデータを前記複数のコンテンツ再生装置のいずれかから受信するコンテンツ受信部と、
受信されたコンテンツデータを出力する出力部とを備える、クレードル。
【請求項２】
未だ他のコンテンツ再生装置が前記クレードルに接続されていない状態で、前記コンテンツ再生装置が前記クレードルに接続されたとき、前記再生コンテンツリスト生成部が、接続された前記コンテンツ再生装置のコンテンツリストのみから前記再生コンテンツリストを生成し、
他のコンテンツ再生装置が前記クレードルに既に接続されている状態で、前記コンテンツ再生装置が前記クレードルに接続されたとき、前記再生コンテンツリスト生成部が、新たに接続された前記コンテンツ再生装置のコンテンツリストにおいて、前記再生コンテンツリストに未だ登録されていないコンテンツのみを前記再生コンテンツリストに登録する、請求項１に記載のクレードル。
【請求項３】
他のコンテンツ再生装置が前記クレードルに既に接続されている状態で、前記コンテンツ再生装置が前記クレードルに接続されたとき、新たに接続された前記コンテンツ再生装置のコンテンツリストにおいて前記再生コンテンツリストに既に登録されているコンテンツと同じコンテンツであっても、そのコンテンツ品質が前記再生コンテンツリストに既に登録されているコンテンツのコンテンツ品質よりも優れる場合には、前記再生コンテンツリスト生成部が、当該コンテンツを前記再生コンテンツリストに登録し、既に前記再生コンテンツリストに登録されている同じコンテンツを前記再生コンテンツリストから削除する、請求項２に記載のクレードル。
【請求項４】
他のコンテンツ再生装置が前記クレードルに既に接続されている状態で、前記コンテンツ再生装置が前記クレードルに接続されたとき、新たに接続された前記コンテンツ再生装置のコンテンツリストにおいて前記再生コンテンツリストに既に登録されているコンテンツと同じコンテンツであっても、その再生回数が前記再生コンテンツリストに既に登録されているコンテンツの再生回数よりも多い場合には、前記再生コンテンツリスト生成部が、当該コンテンツを前記再生コンテンツリストに登録し、既に前記再生コンテンツリストに登録されている同じコンテンツを前記再生コンテンツリストから削除する、請求項２に記載のクレードル。
【請求項５】
前記再生コンテンツリスト生成部が、前記複数のコンテンツ再生装置に記録されている同一コンテンツが所定曲数以上の間または所定時間以上、重複して再生されないように、前記複数のコンテンツ再生装置のコンテンツリストを統合し、前記再生コンテンツリストを生成する、請求項１に記載のクレードル。
【請求項６】
同一コンテンツを記録している前記コンテンツ再生装置が複数存在する場合に、前記再生コンテンツリスト生成部が、前記再生コンテンツリストにおいて１つ前のコンテンツの送信元に決定されているコンテンツ再生装置を送信元のコンテンツ再生装置に決定する、請求項１に記載のクレードル。
【請求項７】
前記再生コンテンツリストにおいて１つ前のコンテンツの送信元に決定されているコンテンツ再生装置が存在しない場合に、前記再生コンテンツリスト生成部が、１つ後のコンテンツを記録しているコンテンツ再生装置を送信元のコンテンツ再生装置に決定する、請求項６に記載のクレードル。
【発明の詳細な説明】
【技術分野】
【０００１】
本発明は、コンテンツ再生装置用クレードルに関する。
【背景技術】
【０００２】
図２は、本出願人が特願２０１０−８９７９２において開示するコンテンツ再生装置用クレードルを示す。携帯型コンテンツ再生装置（以下、ＤＡＰという。）２のオーディオデータを、クレードル１を介して増幅装置５に出力する（すなわち、ＤＡＰ２再生状態の）場合、スイッチ１Ｇはコネクタ１Ｌとホストコントローラ１Ｂとを接続する。一方、ＤＡＰ３のオーディオデータを、クレードル１を介して増幅装置５に出力する（すなわち、ＤＡＰ３再生状態の）場合、スイッチ１Ｇはコネクタ１Ｍとホストコントローラ１Ｂとを接続する。
【０００３】
ここで、クレードル１が、ＤＡＰ２、ＤＡＰ３の各々から曲リストを取得して、これらの曲リストを統合し、統合した曲リストに含まれる曲ファイルを例えばシャッフル再生やランダム再生等により連続再生することを考える。通常、１つのＤＡＰの曲ファイルをシャッフル再生する場合には、１つの曲ファイルが何度も連続して再生されないように曲ファイルを自動的に選択するよう設計される。しかし、ユーザによって複数のＤＡＰに同一曲ファイルを記録することがあり得るが、クレードル１を介して複数のＤＡＰの曲ファイルをシャッフル再生する際には、複数のＤＡＰに記録されている同一曲ファイルが非常に近い時期に連続的に再生されてしまうことがあり、ユーザに不快感を与えてしまうと考えられる。
【先行技術文献】
【特許文献】
【０００４】
【特許文献１】特開２００６−２４４６０７号公報
【特許文献２】特開２００７−６８３３３号公報
【特許文献３】特開２００６−２４６２１７号公報
【発明の概要】
【発明が解決しようとする課題】
【０００５】
本発明は、上記課題を解決するためになされたものであり、その目的は、複数のコンテンツ再生装置に同一のコンテンツが記録されている場合に同一のコンテンツが重複して出力されることを防止するクレードルを提供することである。
【課題を解決するための手段】
【０００６】
本発明の好ましい実施形態によるクレードルは、複数のコンテンツ再生装置が接続可能であり、前記複数のコンテンツ再生装置の各々から、前記各コンテンツ再生装置が記録するコンテンツの一覧であるコンテンツリストを取得するコンテンツリスト取得部と、前記複数のコンテンツ再生装置に記録されている同一コンテンツが重複して登録されないように、前記複数のコンテンツ再生装置のコンテンツリストを統合し、再生コンテンツリストを生成する再生コンテンツリスト生成部と、前記再生コンテンツリストに登録されているコンテンツを順次選択する選択部と、選択されたコンテンツデータを前記複数のコンテンツ再生装置のいずれかから受信するコンテンツ受信部と、受信されたコンテンツデータを出力する出力部とを備える。
【０００７】
再生コンテンツリスト生成部は、複数のコンテンツ再生装置から取得したコンテンツリストを統合して再生コンテンツリストを生成する。このとき、複数のコンテンツ再生装置のコンテンツリストに重複している同一コンテンツについては１つのみが再生コンテンツリストに登録され、２つ目以降は再生コンテンツリストに登録されない。従って、クレードルは、複数のコンテンツ再生装置から同一コンテンツを受信して出力することを防止することができる。
【０００８】
好ましい実施形態においては、未だ他のコンテンツ再生装置が前記クレードルに接続されていない状態で、前記コンテンツ再生装置が前記クレードルに接続されたとき、前記再生コンテンツリスト生成部が、接続された前記コンテンツ再生装置のコンテンツリストのみから前記再生コンテンツリストを生成し、他のコンテンツ再生装置が前記クレードルに既に接続されている状態で、前記コンテンツ再生装置が前記クレードルに接続されたとき、前記再生コンテンツリスト生成部が、新たに接続された前記コンテンツ再生装置のコンテンツリストにおいて、前記再生コンテンツリストに未だ登録されていないコンテンツのみを前記再生コンテンツリストに登録する。
【０００９】
上記の処理によって、新たにコンテンツ再生装置がクレードルに接続される場合に再生コンテンツリストを再生成することができ、複数のコンテンツ再生装置に重複する同一コンテンツを再生コンテンツリストに重複して登録されないようにすることができる。
【００１０】
好ましい実施形態においては、他のコンテンツ再生装置が前記クレードルに既に接続されている状態で、前記コンテンツ再生装置が前記クレードルに接続されたとき、新たに接続された前記コンテンツ再生装置のコンテンツリストにおいて前記再生コンテンツリストに既に登録されているコンテンツと同じコンテンツであっても、そのコンテンツ品質が前記再生コンテンツリストに既に登録されているコンテンツのコンテンツ品質よりも優れる場合には、前記再生コンテンツリスト生成部が、当該コンテンツを前記再生コンテンツリストに登録し、既に前記再生コンテンツリストに登録されている同じコンテンツを前記再生コンテンツリストから削除する。
【００１１】
この場合、複数のコンテンツ再生装置に同一コンテンツが重複している場合、最もコンテンツ品質が優れるコンテンツが再生コンテンツリストに登録される。従って、クレードルは、コンテンツ品質が高いコンテンツを受信して出力することができる。
【００１２】
好ましい実施形態においては、他のコンテンツ再生装置が前記クレードルに既に接続されている状態で、前記コンテンツ再生装置が前記クレードルに接続されたとき、新たに接続された前記コンテンツ再生装置のコンテンツリストにおいて前記再生コンテンツリストに既に登録されているコンテンツと同じコンテンツであっても、その再生回数が前記再生コンテンツリストに既に登録されているコンテンツの再生回数よりも多い場合には、前記再生コンテンツリスト生成部が、当該コンテンツを前記再生コンテンツリストに登録し、既に前記再生コンテンツリストに登録されている同じコンテンツを前記再生コンテンツリストから削除する。
【００１３】
この場合、複数のコンテンツ再生装置に同一コンテンツが重複している場合、最もコンテンツ回数が多いコンテンツが再生コンテンツリストに登録される。従って、クレードルは、ユーザが最も所望すると考えられる再生回数が最大のコンテンツを受信して出力することができる。
【００１４】
好ましい実施形態においては、前記再生コンテンツリスト生成部が、前記複数のコンテンツ再生装置に記録されている同一コンテンツが所定曲数以上の間または所定時間以上、重複して再生されないように、前記複数のコンテンツ再生装置のコンテンツリストを統合し、前記再生コンテンツリストを生成する。
【００１５】
この場合、クレードルは、所定曲数の間または所定時間、複数のコンテンツ再生装置から同一コンテンツを受信して出力することを防止することができる。
【００１６】
好ましい実施形態においては、同一コンテンツを記録している前記コンテンツ再生装置が複数存在する場合に、前記再生コンテンツリスト生成部が、前記再生コンテンツリストにおいて１つ前のコンテンツの送信元に決定されているコンテンツ再生装置を送信元のコンテンツ再生装置に決定する。
【００１７】
この場合、コンテンツ送信元のコンテンツ再生装置の切替動作の回数を低減することができる。
【００１８】
好ましい実施形態においては、前記再生コンテンツリストにおいて１つ前のコンテンツの送信元に決定されているコンテンツ再生装置が存在しない場合に、前記再生コンテンツリスト生成部が、１つ後のコンテンツを記録しているコンテンツ再生装置を送信元のコンテンツ再生装置に決定する。
【００１９】
この場合、コンテンツ送信元のコンテンツ再生装置の切替回数を低減することができる。
【００２０】
本発明の別の好ましい実施形態によるクレードルは、第１コンテンツ再生装置が接続可能な第１接続部と、第２コンテンツ再生装置が接続可能な第２接続部と、コンテンツデータを出力する出力部と、前記第１コンテンツ再生装置、または、前記第２コンテンツ再生装置を制御するコントローラと、前記第１接続部と前記コントローラとを接続するか、又は、前記第２接続部と前記コントローラとを接続するかを切り換えるスイッチと、前記スイッチを切り換え制御するスイッチ制御部と、前記第１コンテンツ再生装置に記録されている複数のコンテンツのコンテンツリストを前記第１コンテンツ再生装置から取得し、前記第２コンテンツ再生装置に記録されている複数のコンテンツのコンテンツリストを前記第２コンテンツ再生装置から取得するコンテンツリスト取得部と、両方の前記コンテンツ再生装置に記録されている同一コンテンツが重複して登録されないように、前記第１コンテンツ再生装置のコンテンツリストと、前記第２コンテンツ再生装置のコンテンツリストとを統合し、再生コンテンツリストを生成する再生コンテンツリスト生成部と、前記再生コンテンツリストに登録されているコンテンツを順次選択する選択部とを備え、選択された前記コンテンツが前記第１コンテンツ再生装置に記録されているコンテンツである場合、前記スイッチ制御部が、前記スイッチに前記第１接続部と前記コントローラとを接続させ、前記コントローラが、前記第１コンテンツ再生装置に選択された前記コンテンツを再生させ、選択された前記コンテンツが前記第２コンテンツ再生装置に記録されているコンテンツである場合、前記スイッチ制御部が、前記スイッチに前記第２接続部と前記コントローラとを接続させ、前記コントローラが、前記第２コンテンツ再生装置に選択された前記コンテンツを再生させる、クレードル。
【発明の効果】
【００２１】
複数のコンテンツ再生装置に同一のコンテンツが記録されている場合に同一のコンテンツが重複して出力されることを防止するクレードルを提供することができる。
【図面の簡単な説明】
【００２２】
【図１】本発明のクレードル１および増幅装置５等を示すブロック図である。
【図２】クレードル１等のハードウェア構成を示すブロック図である。
【図３】クレードル１等の外観図である。
【図４】ＤＡＰ２の曲リストを示す図である。
【図５】ＤＡＰ３の曲リストを示す図である。
【図６】ＤＡＰ２の曲リストとＤＡＰ３の曲リストとを統合した再生曲リストを示す図である。
【図７】マイコン１Ａの処理を示すフローチャートである。
【図８】マイコン１Ａの処理を示すフローチャートである。
【図９】ＤＡＰ２の曲リストとＤＡＰ３の曲リストとを統合した再生曲リストを示す図である。
【図１０】マイコン１Ａの処理を示すフローチャートである。
【図１１】マイコン１Ａの処理を示すフローチャートである。
【図１２】マイコン１Ａの処理を示すフローチャートである。
【図１３】マイコン１Ａの処理を示すフローチャートである。
【図１４】ＤＡＰ２の曲リストとＤＡＰ３の曲リストとＤＡＰ１００の曲リストとを統合した再生曲リストを示す図である。
【図１５】本発明のクレードル１および増幅装置５等を示すブロック図である。
【発明を実施するための形態】
【００２３】
以下、本発明の好ましい実施形態について、図面を参照して具体的に説明するが、本発明はこれらの実施形態には限定されない。図１は、本実施形態によるクレードル１、携帯型コンテンツ再生装置（以下、ＤＡＰ(Digital Audio Player)という。）２，３、増幅装置５、およびリモコン送信機６，７を示す図である。クレードル１には、ＵＳＢ（Universal
Serial Bus）等の任意の通信ラインを介してＤＡＰ２，３が接続可能である。なお、ＵＳＢの代わりにＩＥＥＥ１３９４やＨＤＭＩ等が採用されてもよい。クレードル１は、デジタルオーディオケーブル及び制御信号ケーブルを介して増幅装置５に接続可能である。また、３つ以上のＤＡＰがクレードル１に接続可能でもよい。
【００２４】
クレードル１は、ＤＡＰ２，３に直流電源電圧を供給することにより、ＤＡＰ２，３にバッテリを充電させる。ＤＡＰ２，３は、ホストコントローラと通信しているときに（例えば、ホストコントローラからＵＳＢを介して充電コマンドを所定時間間隔で受信しているときに）バッテリに充電を実行し、ホストコントローラと通信していないときに（例えば、ホストコントローラからＵＳＢを介して充電コマンドを所定時間間隔で受信していないときに）バッテリに充電を実行しない。従って、クレードル１は、ＤＡＰ２，３を継続的に充電するために、ホストコントローラからＤＡＰ２，３に充電コマンドを所定時間間隔で送信し続けなければならない。
【００２５】
ＤＡＰ２、３は、各々が内蔵するＨＤＤやフラッシュメモリ等の記録媒体に記録されたコンテンツ（曲ファイル）を再生（例えばデコード）し、オーディオデータをＵＳＢ経由でクレードル１に送信する。クレードル１は、ＤＡＰ２、３から受信したオーディオデータを増幅装置５に送信する。増幅装置５はクレードル１から受信したオーディオデータを再生（例えば、ＤＡ変換、音量調整および増幅）し、外部に接続された図示しないスピーカーから音声を出力する。
【００２６】
増幅装置５は、ユーザ操作に応じてリモコン送信機６からリモコン信号を受信すると、クレードル１に制御信号（例えば、ＤＡＰ２又は３を再生開始させる制御信号）を送信する。クレードル１は、増幅装置５から制御信号を受信すると、ＤＡＰ２又は３を制御する制御信号に変換し、ＤＡＰ２又は３に送信し、ＤＡＰ２又は３を制御する。クレードル１は、ユーザ操作に応じて、リモコン送信機７からリモコン信号を受信する、又は、クレードル１に設けられた操作部が操作されると、制御信号をＤＡＰ２又は３に送信し、ＤＡＰ２又は３を制御する。
【００２７】
図２は、クレードル１等のハードウェアを示す概略ブロック図である。図３は、クレードル１の外観図である。クレードル１は、マイコン（スイッチ制御部）１Ａと、ホストコントローラ１Ｂと、スイッチ１Ｇと、電源部１Ｉと、リモコン受信部１Ｊと、操作部１Ｋと、コネクタ（第１接続部）１Ｌと、コネクタ（第２接続部）１Ｍと、デジタルオーディオ出力端子（以下、出力端子という。）１Ｏと、制御信号入出力端子１Ｐとを備える。
【００２８】
マイコン１Ａは、図示しないメモリに格納されたプログラムに基づいてクレードル１全体を制御する。マイコン１Ａは、操作部１Ｋのユーザ操作、リモコン受信部１Ｊに入力されるリモコン信号、増幅装置５から受信する制御信号、および、再生曲リストによる再生対象のＤＡＰに応じて、スイッチ１Ｇを切り換え制御する。
【００２９】
マイコン１Ａは、ＤＡＰ２、３の各々が記録する曲ファイルのコンテンツ情報の一覧であるコンテンツリスト（以下、曲リストという。）をＤＡＰ２、３から取得し、メモリに保存する。コンテンツ情報は、曲ファイルを特定する特定情報（メタデータ）であり、例えば、曲名、アーティスト名等である。図４はＤＡＰ２の曲リストの一例を示し、図５はＤＡＰ３の曲リストの一例を示す。これらの曲リストには、曲ＩＤに対応付けて、曲名、アーティスト名、曲ファイルのビットレート、曲ファイルの再生回数が登録されている。
【００３０】
マイコン１Ａは、ＤＡＰ２の曲リストと、ＤＡＰ３の曲リストとを統合し、再生コンテンツリスト（以下、再生曲リストという。）を生成する。ＤＡＰ２の曲リストと、ＤＡＰ３の曲リストとで重複している曲ファイル（つまり、同一曲）については、いずれか一方の曲ファイルのみが再生曲リストに含められる。本実施形態においては、複数のＤＡＰに重複している曲ファイルについては、最初にクレードル１に接続されたＤＡＰの曲ファイルが再生曲リストに含められる。
【００３１】
図６は、図５の曲リストと図６の曲リストとを統合した再生曲リストの一例を示す。再生曲リストは、曲ＩＤに対応付けて、曲名、アーティスト名、及び、曲ファイルを記録しているＤＡＰ特定情報を含む。ＤＡＰ特定情報は、例えばＤＡＰの機種情報や識別情報等であるが、曲ファイルを記録しているＤＡＰが接続されているコネクタ１Ｌ又は１Ｍの情報を管理してもよい。
【００３２】
マイコン１Ａは、再生曲リストに登録されている曲ファイルの再生順序を必要に応じシャッフルする。マイコン１Ａは、再生曲リストに登録されている再生順番で（つまり再生曲リストの上から順に）、曲ファイルのオーディオデータをＤＡＰから取得して、増幅装置５にオーディオデータを出力するようにクレードル１の各部を制御する。
【００３３】
ホストコントローラ１Ｂは、スイッチ１Ｇと、出力端子１Ｏと、マイコン１Ａとに接続されている。ホストコントローラ１Ｂは、ＤＡＰ２に接続されているとき、マイコン１Ａからの制御信号をＤＡＰ２に送信し、ＤＡＰ２を制御する。ホストコントローラ１Ｂは、ＤＡＰ２に接続されているとき、ＤＡＰ２からオーディオデータを受信し、出力端子１Ｏから増幅装置５に出力する。また、ホストコントローラ１Ｂは、ＤＡＰ３に接続されているとき、マイコン１Ａからの制御信号をＤＡＰ３に送信し、ＤＡＰ３を制御する。ホストコントローラ１Ｂは、ＤＡＰ３に接続されているとき、ＤＡＰ３からオーディオデータを受信し、出力端子１Ｏから増幅装置５に出力する。
【００３４】
なお、本発明の構成には必須ではないが、実際の製品の場合には、ホストコントローラ１Ｂと出力端子１Ｏとの間には、ホストコントローラ１ＢからのオーディオデータをＳＰＤＩＦ形式に変換するデジタルオーディオ送信部が設けられるとよい。
【００３５】
スイッチ１Ｇは、コネクタ１Ｌ（すなわち、ＤＡＰ２）とホストコントローラ１Ｂとを接続させるか、又は、コネクタ１Ｍ（すなわち、ＤＡＰ３）とホストコントローラ１Ｂとを接続させるかをマイコン１Ａからの指示に基づいて切り換える。スイッチ１Ｇは、例えば、ＵＳＢ２．０対応高速バススイッチ等が採用される。
【００３６】
マイコン１Ａは、再生曲リストにおいて再生対象の曲ファイルがＤＡＰ２の曲である場合、スイッチ１Ｇにコネクタ１Ｌ（つまり、ＤＡＰ２）とホストコントローラ１Ｂとを接続させる。ホストコントローラ１Ｂは、マイコン１Ａの指示に応じて、再生曲リストにおいて再生対象の曲ファイルを再生するようにＤＡＰ２にコマンドを送信する。つまり、このコマンドには、曲ＩＤ、及び／又は、曲名およびアーティスト名の組合せが含まれている。ＤＡＰ２は、当該コマンドを受信すると、受信したコマンドで特定される曲ファイルを再生し、オーディオデータをクレードル１のコネクタ１Ｌに出力する。
【００３７】
マイコン１Ａは、再生曲リストにおいて再生対象の曲ファイルがＤＡＰ３の曲である場合、スイッチ１Ｇにコネクタ１Ｍ（つまり、ＤＡＰ３）とホストコントローラ１Ｂとを接続させる。ホストコントローラ１Ｂは、マイコン１Ａの指示に応じて、再生曲リストにおいて再生対象の曲ファイルを再生するようにＤＡＰ３にコマンドを送信する。つまり、このコマンドには、曲ＩＤ、及び／又は、曲名およびアーティスト名の組合せが含まれている。ＤＡＰ３は、当該コマンドを受信すると、受信したコマンドで特定される曲ファイルを再生し、オーディオデータをクレードル１のコネクタ１Ｍに出力する。
【００３８】
電源部１Ｉは、図３に示す電源コネクタから商用交流電源が供給され、商用交流電源から直流電源電圧を生成し、クレードル１の各部に供給し、かつ、コネクタ１Ｌを介してＤＡＰ２に供給する。ＤＡＰ２に供給された直流電源電圧は、ＤＡＰ２がバッテリを充電するために使用される。また、電源部１Ｉは、直流電源電圧を、コネクタ１Ｍを介してＤＡＰ３に供給する（図示せず）。ＤＡＰ３に供給された直流電源電圧は、ＤＡＰ３がバッテリを充電するために使用される。
【００３９】
リモコン受信部１Ｊは、クレードル１用のリモコン送信機７からリモコン信号を受信し、マイコン１Ａに制御信号を供給する。
【００４０】
操作部１Ｋは、ユーザ操作に基づく指示を受け付けるものである。操作部１Ｋは、オーディオセレクタスイッチであるＤＡＰ２ボタン、ＤＡＰ３ボタンを含む。ＤＡＰ２ボタンは、クレードル１がＤＡＰ２からのオーディオデータを受信し、出力端子１Ｏから増幅装置５へと出力する状態（以下、ＤＡＰ２再生状態という。）に切り換えるためのボタンである。ＤＡＰ３ボタンは、クレードル１がＤＡＰ３からのオーディオデータを受信し、出力端子１Ｏから増幅装置５へと出力する状態（以下、ＤＡＰ３再生状態という。）に切り換えるためのボタンである。これらのボタンはリモコン送信機７にも同様に設けられている。
【００４１】
コネクタ１Ｌは、ＤＡＰ２のコネクタと接続可能である。コネクタ１Ｌは、ＵＳＢ端子（データラインＤ＋，Ｄ−及び５Ｖ電源ラインの各端子）、及び、ＤＡＰ２から接続検出信号を受信する端子を含む。コネクタ１Ｌは、マイコン１Ａ、スイッチ１Ｇおよび電源部１Ｉに接続されている。
【００４２】
コネクタ１Ｍは、ＤＡＰ３のコネクタと接続可能である。コネクタ１Ｍは、ＵＳＢ端子（データラインＤ＋，Ｄ−及び５Ｖ電源ラインの各端子）、及び、ＤＡＰ３から接続検出信号を受信する端子を含む。コネクタ１Ｍは、マイコン１Ａ、スイッチ１Ｇおよび電源部１Ｉに接続されている。
【００４３】
制御信号入出力端子１Ｐは、マイコン１Ａに接続されており、増幅装置５に制御信号ラインを介して接続可能である。増幅装置５は、増幅装置５用のリモコン送信機６からのリモコン信号を受信すると、制御信号を制御信号入出力端子１Ｐに送信する。制御信号入出力端子１Ｐは、増幅装置５からの制御信号を受信し、マイコン１Ａに供給する。マイコン１Ａは、制御信号入出力端子１Ｐを介して、増幅装置５に制御信号を送信する。
【００４４】
ＤＡＰ２は、ＨＤＤ２Ａおよび再生部２Ｂ等を備える。再生部２Ｂは、ＨＤＤに記録されたコンテンツ（つまり、曲ファイル）を再生し、クレードル１にオーディオデータを出力する。ＤＡＰ３は、ＨＤＤ３Ａおよび再生部３Ｂ等を備える。再生部３Ｂは、ＨＤＤに記録された曲ファイルを再生し、クレードル１にオーディオデータを出力する。ＤＡＰ２、３自体は一般的なものが採用されるとよい。
【００４５】
以上の構成において、３つ以上のＤＡＰがクレードル１に接続可能な場合にも、上記の説明を援用する。
【００４６】
以下、クレードル１の動作を説明する。図７は、マイコン１Ａの処理を示すフローチャートである。マイコン１Ａは、コネクタにＤＡＰが接続されたか否かを判断している（Ｓ１）。ＤＡＰが接続されたか否かは周知の方法によって判断されるとよい。ＤＡＰが接続された場合（Ｓ１でＹＥＳ）、マイコン１Ａは、スイッチ１Ｇに、新たに接続されたＤＡＰとホストコントローラ１Ｂとを接続させる。マイコン１Ａは、ホストコントローラ１Ｂを介して新たに接続されたＤＡＰから機種情報を取得する（Ｓ２）。続いて、マイコン１Ａは、ホストコントローラ１Ｂを介して新たに接続されたＤＡＰから曲リストを取得する（Ｓ３）。例えば、ＤＡＰ２がコネクタ１Ｌに接続された場合には、図４の曲リストが取得され、ＤＡＰ３がコネクタ１Ｍに接続された場合には、図５の曲リストが取得される。
【００４７】
マイコン１Ａは、他のＤＡＰが既に接続されているか否か、つまり既に再生曲リストが他のＤＡＰの曲リストに基づいて生成済みであるか否かを判断する（Ｓ４）。コネクタ１Ｌ、１ＭのいずれもＤＡＰが接続されていないときに、ＤＡＰがコネクタに接続された場合（Ｓ４でＮＯ）、マイコン１Ａは、新たに接続されたＤＡＰから取得した曲リストに含まれている全ての曲ファイルの情報を再生曲リストに登録する（Ｓ５）。つまり、新たに接続されたＤＡＰから取得した曲リストの全曲ファイルの曲ＩＤ、曲名、アーティスト名が再生曲リストに登録され、ＤＡＰ特定情報として新たに接続されたＤＡＰの機種情報などが登録される。その後、処理はＳ１０に進む。
【００４８】
一方、他のＤＡＰが既に接続されている場合、つまり、再生曲リストが生成済みである場合（Ｓ４でＹＥＳ）、マイコン１Ａは、新たに接続されたＤＡＰの曲リストの曲ファイルを上から順に１つ選択する（Ｓ６）。例えば、ＤＡＰ２が接続済みの状態で、コネクタ１ＭにＤＡＰ３が新たに接続された場合、図５の曲リストにおいて、曲名ｙｙｙ、アーティスト名ＹＹＹの曲ファイルが選択される。マイコン１Ａは、曲名およびアーティスト名の組合せが同じ曲ファイル（すなわち同一曲ファイル）が再生曲ファイルに登録済みであるか否か、すなわち接続されている他のＤＡＰに同一曲ファイルが記録されているか否かを判断する（Ｓ７）。
【００４９】
曲名およびアーティスト名の組合せが同じ曲ファイル（すなわち同一曲ファイル）が再生曲ファイルに登録済みでない場合（Ｓ７でＮＯ）、マイコン１Ａは、選択された曲名、アーティスト名の曲ファイルを再生曲リストに登録し（Ｓ８）、Ｓ９に進む。例えば既にＤＡＰ２が接続されており図４のＤＡＰ２の曲リストに基づく再生曲リストが生成済みであり、Ｓ６で選択された曲ファイルが図５のＤＡＰ３の曲リストの曲名ｙｙｙ、アーティスト名ＹＹＹの曲ファイルである場合、曲名ｙｙｙ、アーティスト名ＹＹＹの曲ファイルは再生曲リストには登録されていない。従って、図６に示すように、選択された曲名ｙｙｙ、アーティスト名ＹＹＹの曲ファイルが再生曲リストに登録される。そして、ＤＡＰ特定情報として、新たに接続されたＤＡＰ３のＤＡＰ特定情報が登録される。
【００５０】
一方、曲名およびアーティスト名の組合せが同じ曲ファイル（すなわち同一曲ファイル）が再生曲ファイルに登録済みである場合（Ｓ７でＹＥＳ）、マイコン１Ａは、選択された曲名、アーティスト名の曲ファイルを再生曲リストに登録せずに、Ｓ９に進む。例えば既にＤＡＰ２が接続されており図４のＤＡＰ２の曲リストに基づく再生曲リストが生成済みであり、Ｓ６で選択された曲ファイルが図５のＤＡＰ３の曲リストの曲名ｂｂｂ、アーティスト名ＢＢＢの曲ファイルである場合、曲名ｂｂｂ、アーティスト名ＢＢＢの曲ファイルは再生曲リストには登録されている。従って、図６に示すように、曲名ｂｂｂ、アーティスト名ＢＢＢの曲ファイルが再生曲リストに登録されない。
【００５１】
Ｓ９において、マイコン１Ａは、新たに接続されたＤＡＰの曲リストの全ての曲ファイルについて再生曲リストへの登録の必要性を判断済みであるか否かを判断する。未だ判断済みでない場合（Ｓ９でＮＯ）、Ｓ６に戻って、新たに接続されたＤＡＰの曲リストの次の曲ファイルを選択し（Ｓ６）、上記の処理を繰り返す。これにより、新たに接続されたＤＡＰの曲リストの全ての曲ファイルについて、再生曲リストに登録されていない曲ファイルを再生曲リストに登録する処理が実行される。従って、既に再生曲リストに登録されている曲ファイルが再生曲リストに再度登録されることはないので、再生曲リストに重複して同じ曲ファイルが登録されることを防止できる。
【００５２】
マイコン１Ａは、新たに接続されたＤＡＰの曲リストの全ての曲ファイルについて再生曲リストへの登録の必要性を判断済みである場合（Ｓ９でＹＥＳ）、Ｓ１０に進む。Ｓ１０では、マイコン１Ａは、再生曲リストに登録されている曲ファイルの再生順番を必要に応じてシャッフル（並べ替え）する。シャッフルの方法自体は周知の任意の方法が採用されるとよい。
【００５３】
マイコン１Ａは、再生曲リストに登録されている再生順番に（上から順番に）、曲ファイルを１つ選択する。マイコン１Ａは、選択した曲ファイルのＤＡＰ特定情報から曲ファイルを記録しているＤＡＰを判断し、そのＤＡＰに、選択された曲ファイルを再生し、オーディオデータをクレードル１に対して出力するようにコマンドを送信する。また、マイコン１Ａは、ＤＡＰからのオーディオデータを受信できるように、スイッチ１Ｇをオーディオデータを受信する方のＤＡＰ側のコネクタに切替えさせる。ホストコントローラ１Ｂは、ＤＡＰから受信したオーディオデータを増幅装置５に出力する。
【００５４】
以上のように、本実施形態によると、ＤＡＰ２、３に記録されている曲ファイルを統合してシャッフル再生することができ、ＤＡＰ２、３に重複して記録されている同一曲ファイルを重複して再生することを防止することができる。
【００５５】
次に、別の好ましい実施形態を説明する。図８は、本例の処理を示すフローチャートであり、図７と同じ処理には同一符号を付し、説明を省略する。Ｓ７において、曲名およびアーティスト名の組合せが同じ曲ファイル（すなわち同一曲ファイル）が再生曲ファイルに登録済みである場合、すなわち既に接続されている他のＤＡＰに同一曲ファイルが記録されている場合（Ｓ７でＹＥＳ）、マイコン１Ａは、Ｓ６で選択された曲ファイルのビットレートが、既に再生曲リストに登録されている同一曲ファイルのビットレートよりも大であるか否かを判断する（Ｓ１２）。つまり、Ｓ６で選択された曲ファイルのコンテンツ品質が、既に再生曲リストに登録されている同一曲ファイルのコンテンツ品質よりも優れるか否かを判断する。コンテンツ品質は、ビットレートの他に、曲ファイルのファイルサイズ（大きい方が品質が優れる）や、曲ファイルの圧縮フォーマット（ＭＰ３やＷＭＡ等）でもよい。
【００５６】
Ｓ６で選択された曲ファイルのビットレートが、既に再生曲リストに登録されている同一曲ファイルのビットレートよりも大である場合（Ｓ１２でＹＥＳ）、マイコン１Ａは、Ｓ６で選択された曲ファイルを再生曲リストに登録し、既に再生曲リストに登録されている同一曲ファイルを再生曲リストから削除する（Ｓ８）。従って、クレードル１に接続された複数のＤＡＰに重複して記録されている曲ファイルについては、ビットレートが高い方が優先的に再生曲リストに登録されるので、ビートレートが高い方の曲ファイルのオーディオデータを増幅装置５に出力することができる。例えば、ＤＡＰ２が先に接続され図４の曲リストに基づいて再生曲リストが生成されており、ＤＰＡ３が新たに接続された場合に、Ｓ６において図５に示すＤＡＰ３の曲リストから曲名ｂｂｂ、アーティスト名ＢＢＢの曲ファイルが選択されたとき、ＤＡＰ３の曲ファイルの方がビットレートが高い（ＤＡＰ３が２５６ｋｂｐｓで、ＤＡＰ２が１２８ｋｂｐｓ）ので、図９の再生曲リストに示すように、ＤＡＰ３の曲名ｂｂｂ、アーティスト名ＢＢＢの曲ファイルが再生曲リストに登録され、ＤＡＰ２の曲名ｂｂｂ、アーティスト名ＢＢＢの曲ファイルが再生曲リストから削除される。
【００５７】
Ｓ６で選択された曲ファイルのビットレートが、既に再生曲リストに登録されている同一曲ファイルのビットレート以下である場合（Ｓ１２でＮＯ）、マイコン１Ａは、Ｓ６で選択された曲ファイルを再生曲リストに登録せずに、Ｓ９に進む。例えば、ＤＡＰ２が先に接続され図４の曲リストに基づいて再生曲リストが生成されており、ＤＡＰ３が新たに接続された場合に、Ｓ６において図５に示すＤＡＰ３の曲リストから曲名ｅｅｅ、アーティスト名ＥＥＥの曲ファイルが選択されたとき、ＤＡＰ３の曲ファイルのビットレートがＤＡＰ２の曲ファイルのビットレート以下である（ＤＡＰ３が９６ｋｂｐｓで、ＤＡＰ２が１２８ｋｂｐｓ）ので、図９の再生曲リストに示すように、ＤＡＰ３の曲名ｅｅｅ、アーティスト名ＥＥＥの曲ファイルが再生曲リストに登録されず、ＤＡＰ２の曲名ｅｅｅ、アーティスト名ＥＥＥの曲ファイルが再生曲リストに残される。
【００５８】
次に、さらに別の好ましい実施形態を説明する。図１０は、本例の処理を示すフローチャートであり、図７と同じ処理には同一符号を付し、説明を省略する。Ｓ７において、曲名およびアーティスト名の組合せが同じ曲ファイル（すなわち同一曲ファイル）が再生曲ファイルに登録済みである場合、すなわち既に接続されている他のＤＡＰに同一曲ファイルが記録されている場合（Ｓ７でＹＥＳ）、マイコン１Ａは、Ｓ６で選択された曲ファイルの再生回数が、既に再生曲リストに登録されている同一曲ファイルの再生回数よりも多いか否かを判断する（Ｓ１３）。
【００５９】
Ｓ６で選択された曲ファイルの再生回数が、既に再生曲リストに登録されている同一曲ファイルの再生回数よりも多い場合（Ｓ１３でＹＥＳ）、マイコン１Ａは、Ｓ６で選択された曲ファイルを再生曲リストに登録し、既に再生曲リストに登録されている同一曲ファイルを再生曲リストから削除する（Ｓ８）。従って、クレードル１に接続された複数のＤＡＰに重複して記録されている曲ファイルについては、再生回数が多い方が優先的に再生曲リストに登録されるので、ユーザが所望すると考えられる再生回数が多い方の曲ファイルのオーディオデータを増幅装置５に出力することができる。
【００６０】
Ｓ６で選択された曲ファイルの再生回数が、既に再生曲リストに登録されている同一曲ファイルの再生回数以下である場合（Ｓ１３でＮＯ）、マイコン１Ａは、Ｓ６で選択された曲ファイルを再生曲リストに登録せずに、Ｓ９に進む。
【００６１】
次に、さらに別の好ましい実施形態を説明する。図１１は、本例の処理を示すフローチャートであり、図７と同じ処理には同一符号を付し、説明を省略する。Ｓ７において、曲名およびアーティスト名の組合せが同じ曲ファイル（すなわち同一曲ファイル）が再生曲ファイルに登録済みである場合、すなわち既に接続されている他のＤＡＰに同一曲ファイルが記録されている場合（Ｓ７でＹＥＳ）、マイコン１Ａは、Ｓ６で選択された曲ファイルを再生曲リストに登録し、既に再生曲リストに登録されている同一曲ファイルを再生曲リストから削除する。その他の処理は、図７と同じである。
【００６２】
次に、さらに別の好ましい実施形態を説明する。図１２は、本例の処理を示すフローチャートであり、図７と同じ処理には同一符号を付し、説明を省略する。Ｓ７において、曲名およびアーティスト名の組合せが同じ曲ファイル（すなわち同一曲ファイル）が再生曲ファイルに登録済みである場合、すなわち既に接続されている他のＤＡＰに同一曲ファイルが記録されている場合（Ｓ７でＹＥＳ）、マイコン１Ａは、Ｓ６で選択された曲ファイルを、既に再生曲リストに登録されている同一曲ファイルから所定曲数（例えば３０曲）以上離して、再生曲リストに登録する。但し、既に複数の同一曲ファイルが再生曲リストに登録されている場合、最後に再生曲リストに登録された（つまり再生曲リストの一番下側に登録されている）曲ファイルから所定曲数以上離して登録されるとよい。なお、所定曲数離することができない場合には図７の場合と同様に登録しないようにするとよい。その他の処理は、図６と同じである。この場合には、複数のＤＡＰに同一曲ファイルが記録されている場合でも、少なくとも所定曲数については、重複した曲ファイルが再生されることを防止することができる。
【００６３】
また、図１２の処理において同一曲ファイルの再生時期を所定曲数以上離す代わりに、既に再生曲リストに登録されている同一曲ファイルと所定再生時間（例えば３時間）以上離すようにして、再生曲リストに登録してもよい。この場合、各ＤＡＰから取得する曲リストには各曲ファイルの再生時間の情報が含まれており、各曲ファイルの再生時間を合計することによって、同一曲ファイルの再生時期を所定時間以上離すようにして再生曲リストに登録される。
【００６４】
次に、本発明のさらに別の好ましい実施形態を説明する。本例では、複数のＤＡＰに同じ曲ファイルが記録されている場合に、曲ファイルを再生曲リスト順に再生したときに再生対象（コンテンツ送信元）のＤＡＰの切替動作を可能な限り防止するように、再生対象のＤＡＰを選択する。再生対象のＤＡＰを切替える際にはスイッチ１Ｇの切替音が発生するので、切替音の発生回数を低減するためである。また、再生対象のＤＡＰを切替える際に、複数のＤＡＰ間で音切れ無く連続的に曲データを出力するのが困難だからである。図１３は、本例の処理を示すフローチャートであり、図１４は再生曲リストを示す図である。なお、本例においては、クレードル１に３つのＤＡＰ（ＤＡＰ２、ＤＡＰ３、ＤＡＰ１００）が接続される場合を説明するが、ＤＡＰが２つ接続されている場合や、４つ以上接続されている場合も同様である。
【００６５】
図１３に示すように、マイコン１Ａは、３つのＤＡＰからそれぞれ曲リストを順次取得する（Ｓ２１）。マイコン１Ａは、取得した曲リストから図１４に示すように再生曲リストを生成する（Ｓ２２）。再生曲リストは、再生番号を示すインデックスｉに対応付けて、曲名と、アーティスト名と、各ＤＡＰ毎に曲ＩＤと再生対象であるか否かを示すフラグが登録される。曲ＩＤは、そのＤＡＰに曲ファイルが記録されている場合に登録され、曲ファイルが記録されていない場合には登録されない。図１４では、曲名ａａａ、アーティスト名ＡＡＡの曲ファイルは、ＤＡＰ２のみに記録されており、曲ＩＤはＩＤ１ａである。また、曲名ｃｃｃ、アーティスト名ＣＣＣの曲ファイルは、ＤＡＰ２とＤＡＰ３とに記録されており、その曲ＩＤはそれぞれＩＤ１ｃ、ＩＤ２ａである。再生対象のフラグは、○が登録されているＤＡＰは曲ファイルを再生する再生対象のＤＡＰであり、×が登録されているＤＡＰは曲ファイルを再生しない再生対象ではないＤＡＰである。従って、同じＤＡＰで可能な限り連続して再生対象フラグに○が登録されるように再生対象を決定することで、再生対象のＤＡＰの切替動作の回数を低減することができる。
【００６６】
Ｓ２４〜Ｓ３１では再生対象を決定する。マイコン１Ａは、再生曲リストの再生番号ｉを１に設定する（Ｓ２３）。マイコン１Ａは、再生番号ｉで特定される曲ファイルが複数のＤＡＰに記録されているか否かを、再生曲リストを参照して判断する（Ｓ２４）。曲ファイルが１つのＤＡＰにしか記録されていない場合（Ｓ２４でＮＯ）、マイコン１Ａは、当該曲ファイルを記録している唯一のＤＡＰを自動的に再生対象に決定し、再生曲リストの再生対象フラグに○を登録する（Ｓ２５）。その後、処理はＳ３１に進む。例えば、曲名ａａａ、アーティスト名ＡＡＡの曲ファイルや、曲名ｂｂｂ、アーティスト名ＢＢＢの曲ファイルは、ＤＡＰ２しか記録していないので、自動的にＤＡＰ２が再生対象となる。
【００６７】
一方、曲ファイルが複数のＤＡＰに記録されている場合（Ｓ２４でＹＥＳ）、マイコン１Ａは、再生番号ｉの曲ファイルを記録している複数のＤＡＰのうち、再生番号ｉで特定される曲ファイルの１つ前の曲ファイル（再生番号ｉ−１）の曲ファイルの再生対象となっているＤＡＰが存在するか否かを判断する（Ｓ２６）。存在する場合（Ｓ２６でＹＥＳ）、マイコン１Ａは、再生番号ｉ−１の曲ファイルの再生対象となっているＤＡＰを再生対象に決定し、再生曲リストの再生対象フラグに○を登録する（Ｓ２７）。１つ前の曲ファイルの再生対象となっているＤＡＰを再生対象とすることによって、再生対象のＤＡＰを切替える必要がなくなるからである。例えば、曲名ｆｆｆ、アーティスト名ＦＦＦの曲ファイルは、ＤＡＰ２とＤＡＰ３とに記録されているが、１つ前の曲ファイルの再生対象がＤＡＰ２であるので、ＤＡＰ２が再生対象に決定される。
【００６８】
Ｓ２６において存在しないと判断される場合（Ｓ２６でＮＯ）、マイコン１Ａは、再生番号ｉの曲ファイルを記録している複数のＤＡＰのうち、再生番号ｉで特定される曲ファイルの１つ後の曲ファイル（再生番号ｉ＋１）の曲ファイルを記録しているＤＡＰが存在するか否かを判断する（Ｓ２８）。存在する場合（Ｓ２８でＹＥＳ）、マイコン１Ａは、再生番号ｉ＋１の曲ファイルを記録しているＤＡＰを再生対象に決定し、再生曲リストの再生対象フラグに○を登録する（Ｓ２９）。１つ後の曲ファイルを記録しているＤＡＰを再生対象と決定し、かつ、次のＳ２６、Ｓ２７の処理において、同じＤＡＰを１つ後の曲ファイルの再生対象として決定することによって、再生対象のＤＡＰを切替える必要がなくなるからである。例えば、曲名ｅｅｅ、アーティスト名ＥＥＥの曲ファイルは、ＤＡＰ２とＤＡＰ１００とに記録されているが、１つ後の曲ファイルをＤＡＰ２が記録しているので、ＤＡＰ２が再生対象に決定される。なお、Ｓ２９において、再生番号ｉ＋１の曲ファイルを複数のＤＡＰが記録している場合には、そのうちの任意のＤＡＰが再生対象として決定される。好ましくは、再生番号ｉ＋２の曲ファイルも記録しているＤＡＰが存在すれば、そのＤＡＰを再生対象として決定するとよい。
【００６９】
一方、Ｓ２８において存在しないと判断された場合（Ｓ２８でＮＯ）、マイコン１Ａは、再生番号ｉの曲ファイルを記録している複数のＤＡＰのうち、任意のＤＡＰを再生対象に決定する（Ｓ３０）。例えば、記録している曲ファイルの数が最大であるＤＡＰを選択してもよく、これまでに再生対象に決定された曲ファイルの数が最大であるＤＡＰが選択されるとよい。
【００７０】
マイコン１Ａは、再生番号ｉが再生曲リストに登録されている曲ファイルの総数に達したか否か、すなわち、再生曲リストに登録されている全ての曲ファイルについて、再生対象のＤＡＰを決定したか否かを判断する（Ｓ３１）。未だ全ての曲ファイルについて再生対象のＤＡＰを決定していない場合（Ｓ３１でＮＯ）、マイコン１Ａは、再生番号ｉをインクリメントし（Ｓ３２）、Ｓ２４に戻って、上記の処理を繰り返す。全ての曲ファイルについて再生対象のＤＡＰを決定した場合（Ｓ３１でＹＥＳ）、処理を終了する。
【００７１】
以上の処理によって、可能な限り再生対象のＤＡＰを切替えないようにすることができるので、スイッチ１Ｇの切替動作に伴う切替音の発生回数を減らすことができる。
【００７２】
図１５は、本発明の別の好ましい実施形態によるクレードル１０１のハードウェア構成を示す図である。このクレードル１０１は、ＰＣ４がＵＳＢ端子１Ｎに接続可能である。ＰＣ４もＨＤＤ４Ｂに複数の曲ファイルが記録しており、曲リストをクレードル１に供給する。クレードル１のマイコン１Ａは、ＤＡＰ２、３に加えてＰＣ４から受信した曲リストを統合し、再生曲リストを生成する。
【００７３】
以上、本発明の好ましい実施形態を説明したが、本発明はこれらの実施形態には限定されない。オーディオデータの代わりに映像データや静止画データが採用されてもよく、これらを総称してコンテンツという。コンテンツを所定フォーマットでエンコードしたものをコンテンツファイルという。また、本発明は、上記のクレードルの動作をコンピュータに実行させるためのコンピュータプログラムという形態で提供することもできる。携帯型コンテンツ再生装置は、携帯電話、ポータブルカーナビ、ポータブルＴＶ、ポータブルＣＤプレーヤ、携帯ゲーム機等でもよい。また、本発明は、クレードル１と増幅装置５とが１つの筐体内に設けられていてもよい。
【産業上の利用可能性】
【００７４】
本発明は、コンテンツ再生装置のクレードルに好適に採用され得る。
【符号の説明】
【００７５】
１              クレードル
１Ａ            マイコン（スイッチ制御部）
１Ｂ            ホストコントローラ
１Ｇ            スイッチ
１Ｉ            電源部
１Ｊ            リモコン受信部
１Ｋ            操作部
１Ｌ            ＤＡＰ接続コネクタ
１Ｍ            ＤＡＰ接続コネクタ
１Ｏ            出力端子
１Ｐ            制御信号入出力端子
２              携帯型コンテンツ再生装置
３              携帯型コンテンツ再生装置
５              増幅装置
【図１】
2012198955.tif 000003
【図２】
2012198955.tif 000004
【図３】
2012198955.tif 000005
【図４】
2012198955.tif 000006
【図５】
2012198955.tif 000007
【図６】
2012198955.tif 000008
【図７】
2012198955.tif 000009
【図８】
2012198955.tif 000010
【図９】
2012198955.tif 000011
【図１０】
2012198955.tif 000012
【図１１】
2012198955.tif 000013
【図１２】
2012198955.tif 000014
【図１３】
2012198955.tif 000015
【図１４】
2012198955.tif 000016
【図１５】
2012198955.tif 000017